【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
発振波長が温度の変化に伴い変化する光源とともに用いるための収差補正素子であって、
前記光源は温度が高温になるにつれて発振波長が長波長側にシフトする光源であって、
前記素子は樹脂材料によって構成された略平行平板であって、
前記素子は光軸を中心とする円によって厚みの違う少なくとも２つ以上の複数の領域によって構成されてあって、前記各領域の厚みの差は前記光源の設計温度における発振波長の光束に対する位相差が略２πラジアンの整数倍であることを特徴とする収差補正素子。
【請求項２】
前記樹脂材料は屈折率が温度１度の増減にあたり０．００００５以上変化する材料である事を特徴とする請求項１に記載の収差補正素子。
【請求項３】
前記領域数が３であって、各領域をレンズの中心から順に第１領域、第２領域、第３領域とするとき、第１領域と第２領域の境界部の段差の径を前記収差補正素子の有効径で正規化したものをｘ、第２領域と第３領域の境界部の段差の径を前記収差補正素子の有効径で正規化したものをｙとするとき、前記ｘ及びｙが下記の（数１）を満足することを特徴とする請求項１に記載の収差補正素子。
２（ｘ6−ｙ6）−３（ｘ4−ｙ4）＋ｘ2−ｙ2 ＞ ０．１５    （数１）
【請求項４】
前記領域数が３であって、各領域をレンズの中心から順に第１領域、第２領域、第３領域とするとき、前記第１領域と第２領域の境界部の厚みの差は、前記光源の設計温度における発振波長の光束に対する位相差が、前記第１領域に対して、略４π、略６π、略８π、略１０π、略１２π、略１４πラジアンのいずれかであることを特徴とする請求項１に記載の収差補正素子。
【請求項５】
前記領域数が４以上であって、最内周の領域の径及び最外周の領域とその１つ内側の領域の境界部の径を前記収差補正素子の有効径で正規化した値をそれぞれｘ及びｙとするとき、前記ｘ及びｙが下記の（数４）を満足することを特徴とする請求項１に記載の収差補正素子。
０．０２＜２（ｘ6−ｙ6）−３（ｘ4−ｙ4）＋ｘ2−ｙ2 ＜ ０．１５（数４）
【請求項６】
前記領域数が４以上であって、光軸を含む領域に対して最も位相が離れた領域のその１つ内側及び１つ外側の領域との境界の径を前記収差補正素子の有効径で正規化した値をそれぞれｒ及びｓとするとき、前記ｒ及びｓが下記の（数６）を満足することを特徴とする請求項１に記載の収差補正素子。
２（ｒ6−ｓ6）−３（ｒ4−ｓ4）＋ｒ2−ｓ2 ＞ ０．１７      （数６）
【請求項７】
前記領域数が４以上であって、光軸を含む領域に対して最も位相が離れた領域の前記光源の設計温度における発振波長の光束に対する位相差が、略４π、略６π、略８π、略１０π、略１２π、略１４πラジアンのいずれかであることを特徴とする請求項１に記載の収差補正素子。
【請求項８】
前記領域数が５以上の奇数であるｎであって、光軸を含む領域から順に第１領域、第２領域、・・・、第ｎ領域とするとき、光軸を含む領域から最も位相が離れた領域は第（（ｎ＋１）／２）領域であることを特徴とする請求項１に記載の収差補正素子。
【請求項９】
前記領域数が５以上の奇数であるｎであって、光軸を含む領域から順に第１領域、第２領域、・・・、第ｎ領域とするとき、第ｋ領域と第（（ｎ＋１）−ｋ）領域とはレンズの設計温度における光源の発振波長の光束の透過光に対する位相差がほぼ等しい形状をしていることを特徴とする請求項１に記載の収差補正素子。
【請求項１０】
光源と、前記光源からの射出光束を分離する光束分離手段と、前記光源からの射出光束を情報記録媒体に集光する集光手段と、前記情報記録媒体からの透過或いは反射光束を受光するための受光手段とを有する、情報記録媒体に情報を記録あるいは情報記録媒体の情報を読み出すために用いる光ヘッド装置であって、前記光源は温度が高温になるにつれて発振波長が長波長側にシフトする光源であって、前記光源と前記集光手段の間の光路中に請求項１〜請求項９のいずれかに記載の収差補正素子を挿入したことを特徴とする光ヘッド装置。
【請求項１１】
光ヘッド光学系の温度が設計波長近傍で３０度変化したときの前記対物レンズの３次球面収差の変化をΔｓ、前記略平行平板素子と前記対物レンズを組み合わせた光学系の３次球面収差の変化をΔｖとするとき下記の（数１０）を満足することを特徴とする請求項１０に記載の光ヘッド装置。
｜Δｖ｜  ＜ ０．５｜Δｓ｜    （数１０）
【請求項１２】
樹脂製の光ヘッド装置用の対物レンズであって、前記対物レンズは入射面、射出面の両面が非球面にて構成されてあって、前記対物レンズの少なくとも１つの面には光軸を略中心とする円状の段によって少なくとも３つ以上の領域に分割されてあって、前記各領域は、設計温度における前記光源の発振波長の光束に対する位相差が略２πラジアンの整数倍である段差によって接合された構造であることを特徴とする光ヘッド装置用対物レンズ。
【請求項１３】
前記領域数が３であって、各領域をレンズの中心から順に第１領域、第２領域、第３領域とするとき、前記内周と中間周の境界位置の段差の径及び中間周と外周の境界位置の段差の径をレンズの有効径で規格化し、それぞれｘ、ｙとするとき、下記の（数１２）を満足することを特徴とする請求項１２に記載の光ヘッド装置用対物レンズ。
２（ｘ6−ｙ6）−３（ｘ4−ｙ4）＋ｘ2−ｙ2 ＞ ０．１５    （数１２）
【請求項１４】
前記領域数が３であって、各領域をレンズの中心から順に第１領域、第２領域、第３領域とするとき、前記第１領域と第２領域の境界部のレンズの厚みの差は、前記光源の設計温度における発振波長の光束に対して、略４π、略６π、略８π、略１０π、略１２πあるいは略１４πラジアンのいずれかの位相差となるような段差であることを特徴とする請求項１２に記載の光ヘッド装置用対物レンズ。
【請求項１５】
前記領域数が４以上であって、最内周の領域の径及び最外周の領域とその１つ内側の領域の境界部の径をレンズの有効径で正規化した値をそれぞれｘ及びｙとするとき、前記ｘ及びｙが下記の（数１５）を満足することを特徴とする請求項１２に記載の光ヘッド装置用対物レンズ。
０．０２＜２（ｘ6−ｙ6）−３（ｘ4−ｙ4）＋ｘ2−ｙ2 ＜ ０．１５（数１５）
【請求項１６】
前記領域数が４以上であって、光軸を含む領域に対して、最も位相が離れた領域の内周および外周側の径を、レンズの有効径で正規化したものを、それぞれｒ、及びｓとするとき、前記ｒ及びｓが下記の（数１７）を満足することを特徴とする請求項１２に記載の光ヘッド装置用対物レンズ。
２（ｒ6−ｓ6）−３（ｒ4−ｓ4）＋ｒ2−ｓ2 ＞ ０．１８    （数１７）
【請求項１７】
前記領域数が４以上であって、前記各領域のうち、光軸を含む領域と、前記光軸を含む領域からもっとも位相が離れた領域の、前記光源の設計温度における発振波長の光束に対する位相差が、略６π、略８π、略１０π、略１２πラジアンのいずれかであることを特徴とする請求項１２に記載の光ヘッド装置用対物レンズ。
【請求項１８】
前記領域数が５以上の奇数であるｎであって、光軸を含む領域から順に第１領域、第２領域、・・・、第ｎ領域とするとき、光軸を含む領域と最も位相が離れた領域が第（（ｎ＋１）／２）領域であることを特徴とする請求項１２に記載の光ヘッド装置用対物レンズ。
【請求項１９】
前記領域数が５以上の奇数であるｎであって、光軸を含む領域から順に第１領域、第２領域、・・・、第ｎ領域とし、レンズの設計温度における光源の発振波長の光束の透過光に対する位相差を考えるとき、第ｋ領域と前記の位相差がほぼ等しくなるのが第（（ｎ＋１）−ｋ）領域であることを特徴とする請求項１２に記載の光ヘッド装置用対物レンズ。
【請求項２０】
光源と、前記光源からの射出光束を分離する光束分離手段と、前記光源からの射出光束を情報記録媒体に集光する集光手段と、前記情報記録媒体からの透過或いは反射光束を受光するための受光手段とを有する、情報記録媒体に情報を記録あるいは情報記録媒体の情報を読み出すために用いる光ヘッド装置であって、前記光源は温度が高温になるにつれて発振波長が長波長側にシフトする光源であって、前記集光手段として請求項１２〜請求項１９のいずれかに記載の対物レンズを用いたことを特徴とする光ヘッド装置。
【請求項２１】
光ヘッド光学系の温度が設計波長近傍で３０度変化したときの前記対物レンズの３次球面収差の変化をΔｖとするとき、下記の（数２０）を満足することを特徴とする請求項２０に記載の光ヘッド装置。
｜Δｖ｜  ＜ ２０ｍλ      （数２０）